【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
所定のネットワークに参加可能な通信装置であって、
所定のネットワークに参加していない装置が前記所定のネットワークに参加するに当たって前記所定のネットワークに参加している装置と通信するために使用する所定のアドレスを、前記所定のネットワークに参加しているときに当該通信装置のアドレスとして保持するアドレス保持手段と、
前記所定のアドレスが前記アドレス保持手段によって保持されているときに前記所定のアドレス宛のデータを受信する受信手段と、
前記所定のアドレスが前記アドレス保持手段によって保持されているときに当該通信装置が前記所定のネットワークから離脱する場合に、前記所定のネットワークに参加している他の装置に、前記所定のアドレスを前記他の装置のアドレスとして保持するよう依頼する依頼手段と、を有することを特徴とする通信装置。
【請求項２】
前記受信手段によって受信されたデータが前記所定のネットワークへの参加通知である場合に、前記参加通知を送信した装置のアドレスを記憶するアドレス記憶手段を更に有することを特徴とする請求項１に記載の通信装置。
【請求項３】
前記受信手段によって受信されたデータが前記所定のネットワークからの離脱通知である場合に、前記離脱通知を送信した装置のアドレスを前記アドレス記憶手段から削除する削除手段を更に有することを特徴とする請求項２に記載の通信装置。
【請求項４】
前記参加通知を送信した装置が、前記所定のネットワークに参加した後に、前記装置が前記所定のネットワークから離脱するまでの時間を示す情報を記憶する時間記憶手段と、
前記時間記憶手段に記憶されている情報に基づいて、前記所定のネットワークに参加している１または複数の装置の中から１つの装置を選択する選択手段とを更に有し、
前記依頼手段は、前記アドレス記憶手段に記憶されているアドレスのうち前記選択手段によって選択された装置のアドレス宛に、前記所定のアドレスを前記選択手段によって選択された装置のアドレスとして保持するよう依頼することを特徴とする請求項２または３に記載の通信装置。
【請求項５】
前記受信手段によって受信されたデータが前記時間記憶手段に記憶されている情報の更新通知である場合に、前記時間記憶手段に記憶されている情報を更新する更新手段を更に有することを特徴とする請求項４に記載の通信装置。
【請求項６】
ネットワークを構成するネットワークシステムであって、
所定のネットワークに参加している第１の通信装置に設けられ、前記所定のネットワークに参加していない第２の通信装置が前記所定のネットワークに参加するに当たって前記所定のネットワークに参加している通信装置と通信するために使用する所定のアドレスを、前記第１の通信装置のアドレスとして保持するアドレス保持手段と、
前記第２の通信装置に設けられ、前記第２の通信装置が前記所定のネットワークに参加するに当たって、前記所定のアドレスを用いて前記第１の通信装置と通信する通信手段と、
前記第１の通信装置に設けられ、前記第１の通信装置が前記所定のネットワークから離脱する場合に、前記所定のネットワークに参加している第３の通信装置に、前記所定のアドレスを前記第３の通信装置のアドレスとして保持するよう依頼する依頼手段と、を有することを特徴とするネットワークシステム。
【請求項７】
前記第１の通信装置に設けられ、前記所定のネットワークに参加している１または複数の前記第３の通信装置のアドレスを記憶するアドレス記憶手段と、
前記第１の通信装置に設けられ、前記アドレス記憶手段によって記憶されているアドレスに対応する通信装置の状態を表す状態情報を記憶する状態情報記憶手段とを更に有し、
前記依頼手段は、前記第１の通信装置が前記所定のネットワークから離脱する場合に、前記状態情報記憶手段によって記憶されている状態情報に基づいて、前記１または複数の第３の通信装置の中から１つの通信装置を選択して前記所定のアドレスを保持する依頼を行うことを特徴とする請求項６記載のネットワークシステム。
【請求項８】
前記第２の通信装置に設けられ、前記所定のアドレスを用いた前記第１の通信装置への接続を所定回数試みても前記第１の通信装置に接続することができない場合、前記所定のアドレスを、前記第２の通信装置のアドレスとして保持する第２のアドレス保持手段を更に有することを特徴とする請求項６または７に記載のネットワークシステム。
【請求項９】
前記所定のアドレスは、ＩＰｖ６アドレスにおいて、通信装置に付与されたＩＰアドレスに加えて設定された２つ目のアドレスであることを特徴とする請求項６から８のいずれか１項に記載のネットワークシステム。
【請求項１０】
前記所定のアドレスは、ルータから取得するプレフィックスと、予め決められた値とで構成されることを特徴とする請求項６から９のいずれか１項に記載のネットワークシステム。
【請求項１１】
前記所定のアドレスは、ＩＰｖ６アドレスにおけるグローバルアドレスであることを特徴とする請求項６から９のいずれか１項に記載のネットワークシステム。
【請求項１２】
前記所定のネットワークは、ピアツーピアネットワークであることを特徴とする請求項６から１１のいずれか１項に記載のネットワークシステム。
【請求項１３】
所定のネットワークに参加可能な通信装置に適用される通信方法であって、
所定のネットワークに参加していない装置が前記所定のネットワークに参加するに当たって前記所定のネットワークに参加している装置と通信するために使用する所定のアドレスを、前記所定のネットワークに参加しているときに当該通信装置のアドレスとして保持するアドレス保持ステップと、
前記所定のアドレスが前記通信装置のアドレスとして保持されているとき、前記所定のアドレス宛のデータを受信する受信ステップと、
前記所定のアドレスが前記通信装置のアドレスとして保持されているときに当該通信装置が前記所定のネットワークから離脱する場合に、前記所定のネットワークに参加している他の装置に、前記所定のアドレスを前記他の装置のアドレスとして保持するよう依頼する依頼ステップと、を有することを特徴とする通信方法。
【請求項１４】
ネットワークを構成するネットワークシステムに適用される通信方法であって、
所定のネットワークに参加している第１の通信装置が、前記所定のネットワークに参加していない第２の通信装置が前記所定のネットワークに参加するに当たって前記所定のネットワークに参加している通信装置と通信するために使用する所定のアドレスを、前記第１の通信装置のアドレスとして保持するアドレス保持ステップと、
前記第２の通信装置が、前記第２の通信装置が前記所定のネットワークに参加するに当たって、前記所定のアドレスを用いて前記第１の通信装置と通信する通信ステップと、
前記第１の通信装置が、前記第１の通信装置が前記所定のネットワークから離脱する場合に、前記所定のネットワークに参加している第３の通信装置に、前記所定のアドレスを前記第３の通信装置のアドレスとして保持するよう依頼する依頼ステップと、を有することを特徴とする通信方法。
【請求項１５】
請求項１３または１４に記載の通信方法をコンピュータに実行させるためのプログラム。
【手続補正２】
【補正対象書類名】明細書
【補正対象項目名】０００８
【補正方法】変更
【補正の内容】
【０００８】
上記目的を達成するために、請求項１記載の通信装置は、所定のネットワークに参加可能な通信装置であって、所定のネットワークに参加していない装置が前記所定のネットワークに参加するに当たって前記所定のネットワークに参加している装置と通信するために使用する所定のアドレスを、前記所定のネットワークに参加しているときに当該通信装置のアドレスとして保持するアドレス保持手段と、前記所定のアドレスが前記アドレス保持手段によって保持されているときに前記所定のアドレス宛のデータを受信する受信手段と、前記所定のアドレスが前記アドレス保持手段によって保持されているときに当該通信装置が前記所定のネットワークから離脱する場合に、前記所定のネットワークに参加している他の装置に、前記所定のアドレスを前記他の装置のアドレスとして保持するよう依頼する依頼手段と、を有することを特徴とする。
【手続補正３】
【補正対象書類名】明細書
【補正対象項目名】０００９
【補正方法】変更
【補正の内容】
【０００９】
また、請求項６記載のネットワークシステムは、ネットワークを構成するネットワークシステムであって、所定のネットワークに参加している第１の通信装置に設けられ、前記所定のネットワークに参加していない第２の通信装置が前記所定のネットワークに参加するに当たって前記所定のネットワークに参加している通信装置と通信するために使用する所定のアドレスを、前記第１の通信装置のアドレスとして保持するアドレス保持手段と、前記第２の通信装置に設けられ、前記第２の通信装置が前記所定のネットワークに参加するに当たって、前記所定のアドレスを用いて前記第１の通信装置と通信する通信手段と、前記第１の通信装置に設けられ、前記第１の通信装置が前記所定のネットワークから離脱する場合に、前記所定のネットワークに参加している第３の通信装置に、前記所定のアドレスを前記第３の通信装置のアドレスとして保持するよう依頼する依頼手段と、を有することを特徴とする。
【手続補正４】
【補正対象書類名】明細書
【補正対象項目名】００１０
【補正方法】変更
【補正の内容】
【００１０】
また、請求項１３記載の通信方法は、所定のネットワークに参加可能な通信装置に適用される通信方法であって、所定のネットワークに参加していない装置が前記所定のネットワークに参加するに当たって前記所定のネットワークに参加している装置と通信するために使用する所定のアドレスを、前記所定のネットワークに参加しているときに当該通信装置のアドレスとして保持するアドレス保持ステップと、前記所定のアドレスが前記通信装置のアドレスとして保持されているとき、前記所定のアドレス宛のデータを受信する受信ステップと、前記所定のアドレスが前記通信装置のアドレスとして保持されているときに当該通信装置が前記所定のネットワークから離脱する場合に、前記所定のネットワークに参加している他の装置に、前記所定のアドレスを前記他の装置のアドレスとして保持するよう依頼する依頼ステップと、を有することを特徴とする。
【手続補正５】
【補正対象書類名】明細書
【補正対象項目名】００１１
【補正方法】変更
【補正の内容】
【００１１】
また、請求項１４記載の通信方法は、ネットワークを構成するネットワークシステムに適用される通信方法であって、所定のネットワークに参加している第１の通信装置が、前記所定のネットワークに参加していない第２の通信装置が前記所定のネットワークに参加するに当たって前記所定のネットワークに参加している通信装置と通信するために使用する所定のアドレスを、前記第１の通信装置のアドレスとして保持するアドレス保持ステップと、前記第２の通信装置が、前記第２の通信装置が前記所定のネットワークに参加するに当たって、前記所定のアドレスを用いて前記第１の通信装置と通信する通信ステップと、前記第１の通信装置が、前記第１の通信装置が前記所定のネットワークから離脱する場合に、前記所定のネットワークに参加している第３の通信装置に、前記所定のアドレスを前記第３の通信装置のアドレスとして保持するよう依頼する依頼ステップと、を有することを特徴とする。